(57)【要約】本発明が提供するバーコード分類システムは、多数個の商品のうちの各商品の商品情報を記憶する記憶ユニットと、多数個のバーコードパターンを発生させるバーコード発生ユニットと、前記バーコード発生ユニットと接続され、多数個の前記バーコードパターンをバーコードとして印刷し、このときに多数個の前記バーコードは、如何なる意味も有さず、多数個の前記商品上に前記多数個のバーコードをそれぞれ付着するか表示するバーコード印刷機器と、既に前記バーコードを有する前記多数個の商品のバーコード情報を前記記憶ユニットへ入力し、対応する商品の商品情報に前記バーコード情報を紐付ける処理演算ユニットと、を含み、このように、本発明はより柔軟な使用方式を有するバーコードを提供することができる。【選択図】図２
2018500617.tif 000002
【特許請求の範囲】
【請求項１】
多数個の商品のうちの各商品の商品情報を記憶する記憶ユニットと、
多数個のバーコードパターンを発生させるバーコード発生ユニットと、
前記バーコード発生ユニットと接続され、多数個の前記バーコードパターンをバーコードとして印刷し、多数個の前記バーコードは、如何なる意味も有さず、それを多数個の前記商品上にそれぞれ付着させるか表示させるバーコード印刷機器と、
既に前記バーコードを有する前記多数個の商品のバーコード情報を前記記憶ユニットへ入力し、対応する商品の商品情報に前記バーコード情報を紐付ける処理演算ユニットと、を含むことを特徴とする、
バーコード分類システム。
【請求項２】
前記バーコード印刷機器は連続シングルシート印刷機器であることを特徴とする請求項１に記載のバーコード分類システム。
【請求項３】
前記商品情報は、前記商品の名称、型式、番号、規格を含むことを特徴とする請求項１に記載のバーコード分類システム。
【請求項４】
前記バーコードは、それぞれ異なる多数個のバーコードであることを特徴とする請求項１に記載のバーコード分類システム。
【請求項５】
前記それぞれ異なる多数個のバーコードは、同じ製品に紐付けされることを特徴とする請求項４に記載のバーコード分類システム。
【請求項６】
前記バーコードは、同じ多数個のバーコードであることを特徴とする請求項１に記載のバーコード分類システム。
【請求項７】
前記同じ多数個のバーコードは、異なる製品に紐付けされることを特徴とする請求項６に記載のバーコード分類システム。
【発明の詳細な説明】
【技術分野】
【０００１】
本発明は、バーコード分類システムに関する。
【背景技術】
【０００２】
従来の分類システムの動作モードは、共通データ標準規格に基づき、ＥＡＮ−１３コードを例にとると、ＧＳ１国コード＋ＧＳ１  ＴＡＩＷＡＮメーカコード＋商品コード＋チェックディジットを主に含み、予め、コンピュータシステム中に一部の商品情報を記憶しておき、特定のバーコードを紐付けすることにより、ＥＡＮ−１３コードを形成してから、これらの商品上にバーコードを印刷するか接着する。
【０００３】
言い換えれば、同種の商品のバーコードを、所定の商品と組み合わせ、同じバーコードを商品本体に紐付けする。
【０００４】
しかし、このように予め紐付けすると、バーコードの使用が制限され、一部の商品を別のバーコード又は通し番号へ変更する場合、このような従来のバーコード分類システムは十分でなかった。
【発明の概要】
【発明が解決しようとする課題】
【０００５】
本発明の主な目的は、商品にバーコードを提供するとともに、予め設けたバーコードと特定の商品とを紐付けせずに、バーコードをより柔軟に使用することができるバーコード分類システムを提供することにある。
【課題を解決するための手段】
【０００６】
上述の目的を達成するために、本発明が提供するバーコード分類システムは、記憶ユニット、バーコード発生ユニット、バーコード印刷機器及び処理演算ユニットを含む。
【０００７】
前記記憶ユニットは、多数個の商品のうちの各商品の商品情報を記憶する。前記バーコード発生ユニットは、多数個のバーコードパターンを発生させる。前記バーコード印刷機器は、前記バーコード発生ユニットと接続され、多数個の前記バーコードパターンをバーコードとして印刷し、このときに多数個の前記バーコードは、如何なる意味も有さず、それら商品上に前記多数個のバーコードをそれぞれ付着するか表示する。前記処理演算ユニットは、既に前記バーコードを有する前記多数個の商品のバーコード情報を前記記憶ユニットへ入力し、対応する商品の商品情報に前記バーコード情報を紐付ける。
【０００８】
これにより、バーコードを予め印刷しておくことができる上、如何なる商品とも紐付けされておらず、バーコードを使用する際、特定の商品にバーコードを貼り付けてからバーコードと商品情報とを紐付けして整合することができるため、バーコードの設定又は印刷を行うときに特定の商品だけに限定されることを防ぎ、先にバーコードを印刷してから特定商品の紐付けを選択することができる。
【図面の簡単な説明】
【０００９】
【図１】本発明のフロー図である。
【図２】本発明のフロー図である。
【図３】本発明のフロー図である。
【発明を実施するための形態】
【００１０】
以下、実施例により本発明の実施可能な例を説明するが、本発明が保護する範囲を何ら制限するものではないことをここで予め述べておく。
【００１１】
図１〜図３に示すように、本発明は、記憶ユニット１０、バーコード発生ユニット２０、バーコード印刷機器３０及び処理演算ユニット４０を含む。
【００１２】
記憶ユニット１０は、多数個の商品５０中の各商品５０の商品情報５１を記憶するために用いる。さらに詳細には、記憶ユニット１０は、データ格納用の装置でもよい。多数個の商品５０のそれぞれの商品情報５１を、まず、記憶ユニット１０中に記憶する。商品情報５１は、名称、型式、番号、規格などを含む。
【００１３】
バーコード発生ユニット２０は、多数個の同じ又は異なるバーコードパターン２１を発生させる。さらに詳細には、バーコード発生ユニット２０は、コンピュータ機器でもよく、異なるバーコードパターンであるとき、乱数又は非乱数方式で多数個の異なるバーコードパターン２１を発生させる。
【００１４】
バーコード印刷機器３０は、バーコード発生ユニット２０と接続され、その接続方式は、有線、無線、ファイル互換その他の方式であり、バーコードパターン２１をバーコード３１として印刷する。これら多数個のバーコード３１は、多数個の商品５０上に付着されるか表示される。
本実施例において、バーコード印刷機器３０は、異なるか同じバーコードを連続印刷することができる大型連続シングルシート印刷機器でもよい。バーコード３１は、商品５０上に直接印刷してもよいし、ラベルに印刷してから商品５０上に貼り付けてもよいが、ここでバーコード３１は、商品情報５１と紐付けされていない。
【００１５】
処理演算ユニット４０は、既にバーコード３１を有する商品５０の多数個のバーコード情報５２を記憶ユニット１０へ入力し、さらにこのバーコード情報５２を対応する商品５０の商品情報５１へ紐付けする。さらに詳細には、処理演算ユニット４０は、既に商品５０上に貼られたバーコード３１のバーコード情報５２を読み取るバーコード読取装置を含むか、手作業その他の認証方式によりバーコード情報５２を、元々記憶ユニット１０中に記憶してある商品情報５１と組み合わせて紐付けする。
【００１６】
実際に使用する際、まず、商品情報５１を記憶ユニット１０中に記憶し、バーコード発生ユニット２０によりバーコードパターン２１をバーコード印刷機器３０に発生させてから、バーコード印刷機器３０により商品５０上にバーコードを印刷する。多数個のバーコード３１は、如何なる意味も有さず、乱数、通し番号又は暗号化ロジックによる非乱数などでもよい。続いて、処理演算ユニット４０によりバーコード情報５２を読み取り、これと元々記憶しておいた商品情報５１と組み合わせて紐付けして記憶させ、商品のバーコードのファイリング作業を完了する。
【００１７】
このように従来技術と比べ、本発明は、まず、バーコードと商品情報とを予め紐付けておく必要がなく、商品の出荷前にファイリングして紐付けするため、以下のような長所を有する。
（１）柔軟にバーコードを分配使用することができる。
（２）特殊な状況下で、同一のバーコードを異なる商品にしてもよい。例えば、同じ商品の包装を変えて販売する。
（３）特殊な状況下で、異なるバーコードを同じ商品にしてもよい。例えば、新商品及び古い商品を陳列する。
【符号の説明】
【００１８】
１０  記憶ユニット  
２０  バーコード発生ユニット
２１  バーコードパターン
３０  バーコード印刷機器
３１  バーコード
４０  処理演算ユニット
５０  商品
５１  商品情報
５２  バーコード情報
【図１】
2018500617.tif 000003
【図２】
2018500617.tif 000004
【図３】
2018500617.tif 000005
【国際調査報告】
2018500617.tif 000006
2018500617.tif 000007
2018500617.tif 000008
2018500617.tif 000009